(57)【要約】    【課題】  垂直ポール式及び傾斜ポール式に適用でき、器具本体の傾斜角度を多段階に変更できる照明器具を提供する。    【解決手段】  垂直ポール及び傾斜ポールが嵌合可能な筒状構造の支柱ジョイント１０と器具ジョイント２０とを有し、器具ジョイントは基部と所定の角度をもつアーム部とからなり、基部及びアーム部に第１、第２の取付け穴が設けられた取付けベースと、起立プレートの基部３１側に第１の取付け穴３１Ａが、先端３２側の第１の取付け穴を中心とした同心円上の位置に複数の第２の取付け穴３２Ａ、３２Ｂが設けられた取付けブラケット３０と、取付けベース及び取付けブラケットの第１の取付け穴に挿通され締付けられる第１の締結ボルト４０と、取付けブラケットの複数から選択された第２の取付け穴と取付けベースの第２の取付け穴に挿通されて締付けられる第２の締結ボルト４１を備え、器具本体の中間部分を選択された傾斜角度でもって取付ける。【選択図】  図１
2018101483.tif 000002
【特許請求の範囲】
【請求項１】
垂直ポール式及び垂直ポールの上端部に斜め上方に傾斜された傾斜ポールを有する傾斜ポール式のいずれの形式の支柱にも装着でき、器具本体の傾斜角度を多段階に変更できるようにした照明器具であって、
器具本体ハウジングの後部から外方に突出される支柱ジョイントと器具本体ハウジングの後部内に位置される器具ジョイントとを有し、上記支柱ジョイントは垂直ポール上端部分及び傾斜ポール先端部分のいずれもが嵌合可能な筒状構造をなし、上記器具ジョイントは上記支柱ジョイントに結合された基部と上記支柱ジョイントの中心軸線に対して所定の角度をもって上記基部から斜めに伸びるアーム部とからなり、上記基部及びアーム部には上記器具本体を取付けるための第１、第２の取付け穴が設けられており、上記支柱ジョイントの筒口方向が選択されることによって上記垂直ポール又は傾斜ポールに合った角度に設定され得る構造の取付けベースと、
器具本体ハウジング内の後部に取付けられており、起立プレート状をなし、該起立プレートの基部側には上記取付けベースの第１の取付け穴と合致され得る第１の取付け穴が設けられ、上記起立プレートの先端側には第１の取付け穴を中心として同心円上の取付けベースの第１の取付け穴と合致され得る位置に複数の第２の取付け穴が設けられた取付けブラケットと、
上記取付けベースの第１の取付け穴と取付けブラケットの第１の取付け穴に挿通され締付けられることによって上記器具本体の後端部を上記取付けブラケット部に締結する第１の締結ボルトと、
上記取付けブラケットの複数の第２の取付け穴から選択された取付け穴と取付けベースの第２の取付け穴に挿通されて締付けられることによって上記器具本体の中間部分を選択された傾斜角度でもって上記取付けブラケットに締結する第２の締結ボルトと、
を備えたことを特徴とする照明器具。
【請求項２】
垂直ポール式及び垂直ポールの上端部に斜め上方に傾斜された傾斜ポールを有する傾斜ポール式のいずれの形式の支柱にも装着できるようにした照明器具であって、
器具本体ハウジングの後部から外方に突出される支柱ジョイントと器具本体ハウジングの後部内に位置される器具ジョイントとを有し、上記支柱ジョイントは垂直ポール上端部分及び傾斜ポール先端部分のいずれもが嵌合可能な筒状構造をなし、上記器具ジョイントは上記支柱ジョイントに結合された基部と上記支柱ジョイントの中心軸線に対して所定の角度をもって上記基部から斜めに伸びるアーム部とからなり、上記基部及びアーム部には上記器具本体を取付けるための第１、第２の取付け穴が設けられており、上記支柱ジョイントの筒穴方向が選択されることによって上記垂直ポール又は傾斜ポールに合った角度に設定され得る構造の取付けベースと、
器具本体ハウジング内の後部に取付けられており、起立プレート状をなし、該起立プレートの基部側には上記取付けベースの第１の取付け穴と合致され得る第１の取付け穴が設けられ、上記起立プレートの先端側の取付けベースの第１の取付け穴と合致され得る位置に第２の取付け穴が設けられた取付けブラケットと、
上記取付けベースの第１の取付け穴と取付けブラケットの第１の取付け穴に挿通され締付けられることによって上記器具本体の後端部を上記取付けブラケット部に締結する第１の締結ボルトと、
上記取付けブラケットの第２の取付け穴と取付けベースの第２の取付け穴に挿通されて締付けられることによって上記器具本体の中間部分を上記取付けブラケットに締結する第２の締結ボルトと、
を備えたことを特徴とする照明器具。
【請求項３】
器具本体の傾斜角度を多段階に変更できるようにした照明器具であって、
器具本体ハウジングの後部から外方に突出される支柱ジョイントと器具本体ハウジングの後部内に位置される器具ジョイントとを有し、上記支柱ジョイントは垂直ポール上端部分又は傾斜ポール先端部分が嵌合可能な筒状構造をなし、上記器具ジョイントは上記支柱ジョイントに結合された基部と上記支柱ジョイントの中心軸線に対して所定の角度をもって上記基部から斜めに伸びるアーム部とからなり、上記基部及びアーム部には上記器具本体を取付けるための第１、第２の取付け穴が設けられた構造の取付けベースと、
器具本体ハウジング内の後部に取付けられており、起立プレート状をなし、該起立プレートの基部側には上記取付けベースの第１の取付け穴と合致され得る第１の取付け穴が設けられ、上記起立プレートの先端側には第１の取付け穴を中心として同心円上の取付けベースの第１の取付け穴と合致され得る位置に複数の第２の取付け穴が設けられた取付けブラケットと、
上記取付けベースの第１の取付け穴と取付けブラケットの第１の取付け穴に挿通され締付けられることによって上記器具本体の後端部を上記取付けブラケット部に締結する第１の締結ボルトと、
上記取付けブラケットの複数の第２の取付け穴から選択された取付け穴と取付けベースの第２の取付け穴に挿通されて締付けられることによって上記器具本体の中間部分を選択された傾斜角度でもって上記取付けブラケットに締結する第２の締結ボルトと、
を備えたことを特徴とする照明器具。
【発明の詳細な説明】
【技術分野】
【０００１】
本発明は街路灯や道路灯などの照明器具に関し、特に器具本体の傾斜角度を多段階に変更することができ、しかも垂直ポール式及び傾斜ポール式のいずれの方式にも適用できるようにした器具に関する。
【背景技術】
【０００２】
例えば、道路灯では道路の路肩等に支柱を立設し、支柱の先端に器具本体を取付ける一方、器具本体は内部に光源を装着するソケットを設けるとともに、器具本体の下面を透光性のグローブで覆った構造が採用されている。
【０００３】
ところで、道路灯では設置する支柱に合わせて適切な配光となるように配光特性が予め設計されていたが、道路灯を他の支柱に付け替えたり、道路灯の傾斜角度を周囲の環境に合わせて変更できることが求められていた。
【０００４】
そこで、取付けブラケットには支柱の先端部が挿入される筒状部とフランジ部とを一体的に形成し、器具本体には支柱取付具の固定面を形成し、この固定面に鍔部の表面又は裏面のいずれかを重ねて結合することによって、器具本体の傾斜角度を定められるようにした構造が提案されている（特許文献１）。
【０００５】
また、道路灯や街路灯には支柱の形状によって垂直ポール式とポール先端部分を傾斜させた傾斜ポール式が知られている（特許文献２）。
【先行技術文献】
【特許文献】
【０００６】
【特許文献１】特開２０１４−５９９８３号公報
【特許文献２】特許第４０６１４３８号公報
【発明の概要】
【発明が解決しようとする課題】
【０００７】
しかるに、特許文献１記載の照明器具では鍔部の表面又は裏面を選択することによって、器具本体の傾斜角度を変更しているので、器具本体の傾斜角度を２段階にしか調整できず、さらには垂直ポール式のものを傾斜ポール式のものに適用できず、傾斜ポール式のものを垂直ポールに適用することもできない。
【０００８】
本発明はかかる問題点に鑑み、器具本体の傾斜角度を多段階に変更することができ、しかも垂直ポール式及び傾斜ポール式のいずれの方式にも適用できるようにした照明器具を提供することを課題とする。
【課題を解決するための手段】
【０００９】
本発明に係る照明器具は、垂直ポール式及び垂直ポールの上端部に斜め上方に傾斜された傾斜ポールを有する傾斜ポール式のいずれの形式の支柱にも装着でき、器具本体の傾斜角度を多段階に変更できるようにした照明器具であって；  器具本体ハウジングの後部から外方に突出される支柱ジョイントと器具本体ハウジングの後部内に位置される器具ジョイントとを有し、上記支柱ジョイントは垂直ポール上端部分及び傾斜ポール先端部分のいずれもが嵌合可能な筒状構造をなし、上記器具ジョイントは上記支柱ジョイントに結合された基部と上記支柱ジョイントの中心軸線に対して所定の角度をもって上記基部から斜めに伸びるアーム部とからなり、上記基部及びアーム部には上記器具本体を取付けるための第１、第２の取付け穴が設けられており、上記支柱ジョイントの筒穴方向が選択されることによって上記垂直ポール又は傾斜ポールに合った角度に設定され得る構造の取付けベースと；  器具本体ハウジング内の後部に取付けられており、起立プレート状をなし、該起立プレートの基部側には上記取付けベースの第１の取付け穴と合致され得る第１の取付け穴が設けられ、上記起立プレートの先端側には第１の取付け穴を中心として同心円上の取付けベースの第１の取付け穴と合致され得る位置に複数の第２の取付け穴が設けられた取付けブラケットと；  上記取付けベースの第１の取付け穴と取付けブラケットの第１の取付け穴に挿通され締付けられることによって取付けブラケットの基部側を上記取付けベースの基部に締結する第１の締結ボルトと；  上記取付けブラケットの複数の第２の取付け穴から選択された取付け穴と取付けベースの第２の取付け穴に挿通されて締付けられることによって上記器具本体が選択された傾斜角度となるように上記取付けブラケットの先端側を取付けベースのアーム部に締結する第２の締結ボルトと；を備えたことを特徴とする。
【００１０】
本発明の特徴の１つは取付けベースを支柱ジョイントと器具ジョイントから構成し、支柱ジョイントは垂直ポール上端部分及び傾斜ポール先端部分のいずれもが嵌合可能な筒状構造となし、器具ジョイントは支柱ジョイントに結合された基部と支柱ジョイントの中心軸線に対して所定の角度をもって基部から斜めに伸びるアーム部とから構成するようにした点にある。
【００１１】
これにより、支柱ジョイント筒穴の方向を支柱ジョイントを反転させるなど、選択することによって垂直ポール又は傾斜ポールに合った角度に設定することができ、垂直ポール式及び垂直ポールの上端部に斜め上方に傾斜された傾斜ポールを有する傾斜ポール式のいずれの形式の支柱にも装着できる。
【００１２】
本発明の第２の特徴は取付けベースを支柱に取付け、器具本体ハウジング内に取付けブラケットを内蔵し、取付けベース及び取付けブラケットの第１の取付け穴に締結ボルトを挿通し、これを支点として取付けブラケットの第２の取付け穴を選択して取付けベース及び取付けブラケットの選択した第２の取付け穴と取付けベースの第２の取付け穴に第２のボルトを挿通して第１、第２のボルトを締付けるようにした点にある。
【００１３】
これにより、第１の締結ボルトを支点として取付けブラケットの第２の取付け穴を選択することによって器具本体の角度を第２の取付け穴の数だけ多段階に変更することができ、設置する支柱に合わせて適切な配光特性をえることができる。
【００１４】
また、第１の締結ボルトを弛めて第２の締結ボルトを抜き、第１の締結ボルトを支点として取付けブラケットの第２の取付け穴を選択することができるので、周囲の環境に合わせて配光特性を任意に変更できる。
【００１５】
本発明では垂直ポール式及び傾斜ポール式のいずれの形式の支柱にも装着でき、又器具本体の傾斜角度を多段階に変更できるようにしたが、垂直ポール式及び傾斜ポール式のいずれの形式の支柱にも装着できること、器具本体の傾斜角度を多段階に変更できることのいずれか一方のみを実現できるようにするという考え方も斬新である。
【００１６】
すなわち、本発明によれば、垂直ポール式及び垂直ポールの上端部に斜め上方に傾斜された傾斜ポールを有する傾斜ポール式のいずれの形式の支柱にも装着できるようにした照明器具であって；  器具本体ハウジングの後部から外方に突出される支柱ジョイントと器具本体ハウジングの後部内に位置される器具ジョイントとを有し、上記支柱ジョイントは垂直ポール上端部分及び傾斜ポール先端部分のいずれもが嵌合可能な筒状構造をなし、上記器具ジョイントは上記支柱ジョイントに結合された基部と上記支柱ジョイントの中心軸線に対して所定の角度をもって上記基部から斜めに伸びるアーム部とからなり、上記基部及びアーム部には上記器具本体を取付けるための第１、第２の取付け穴が設けられており、上記支柱ジョイントの嵌合方向が反転されることによって上記垂直ポール又は傾斜ポールに合った角度に設定され得る構造の取付けベースと；  器具本体ハウジング内の後部に取付けられており、起立プレート状をなし、該起立プレートの基部側には上記取付けベースの第１の取付け穴と合致され得る第１の取付け穴が設けられ、上記起立プレートの先端側の取付けベースの第１の取付け穴と合致され得る位置に第２の取付け穴が設けられた取付けブラケットと；  上記取付けベースの第１の取付け穴と取付けブラケットの第１の取付け穴に挿通され締付けられることによって上記取付けブラケットの基部側を上記取付けベースの基部に締結する第１の締結ボルトと；  上記取付けブラケットの第２の取付け穴と取付けベースの第２の取付け穴に挿通されて締付けられることによって上記取付けブラケットの先端側を上記取付けベースのアーム部に締結する第２の締結ボルトと；を備えたことを特徴とする照明器具を提供することができる。
【００１７】
また、本発明によれば、器具本体の傾斜角度を多段階に変更できるようにした照明器具であって；  器具本体ハウジングの後部から外方に突出される支柱ジョイントと器具本体ハウジングの後部内に位置される器具ジョイントとを有し、上記支柱ジョイントは垂直ポール上端部分又は傾斜ポール先端部分が嵌合可能な筒状構造をなし、上記器具ジョイントは上記支柱ジョイントに結合された基部と上記支柱ジョイントの中心軸線に対して所定の角度をもって上記基部から斜めに伸びるアーム部とからなり、上記基部及びアーム部には上記器具本体を取付けるための第１、第２の取付け穴が設けられた構造の取付けベースと；  器具本体ハウジング内の後部に取付けられており、起立プレート状をなし、該起立プレートの基部側には上記取付けベースの第１の取付け穴と合致され得る第１の取付け穴が設けられ、上記起立プレートの先端側には第１の取付け穴を中心として同心円上の取付けベースの第１の取付け穴と合致され得る位置に複数の第２の取付け穴が設けられた取付けブラケットと；  上記取付けベースの第１の取付け穴と取付けブラケットの第１の取付け穴に挿通され締付けられることによって上記取付けブラケットの基部側を上記取付けベースの基部に締結する第１の締結ボルトと；  上記取付けブラケットの複数の第２の取付け穴から選択された取付け穴と取付けベースの第２の取付け穴に挿通されて締付けられることによって上記器具本体が選択された傾斜角度となるように上記取付けブラケットの先端側を上記取付けベースのアーム部に締結する第２の締結ボルトと；を備えたことを特徴とする照明器具を提供することができる。
【図面の簡単な説明】
【００１８】
【図１】本発明に係る照明器具の好ましい実施形態における器具本体ハウジングの一部を切り開いた状態を示す概略斜視図である。
【図２】上記実施形態における取付けベースの垂直ポール取付け時の姿勢を示す概略斜視図である。
【図３】上記実施形態の垂直ポール取付け状態を示す概略斜視図である。
【図４】上記実施形態における取付けベースの傾斜ポール取付け時の姿勢を示す概略斜視図である。
【図５】上記実施形態の傾斜ポール取付け状態を示す概略斜視図である。
【発明を実施するための形態】
【００１９】
以下、図面を参照して本発明の実施形態について説明する。図１ないし図５は本発明に係る照明器具の好ましい実施形態を示し、本例は道路灯に適用した例である。図において、器具本体ハウジング５０内には光源が内蔵され、器具本体ハウジング５０下面には透光性のグローブが嵌められ、又器具本体ハウジング５０の後部内には取付けベースが設けられている。
【００２０】
取付けベースは支柱ジョイント１０及び器具ジョイント２０から構成され、支柱ジョイント１０は器具本体のハウジング５０の後部から外方に突出され、垂直ポール６０及び傾斜ポールが嵌入され得る円筒状構造に形成され、支柱ジョイント１０を反転させて器具ジョイント２０のアーム部２２に対する支柱ジョイント１０の筒口方向を選択することによって、垂直ポール６０又は傾斜ポールに合った角度に設定され得るようになっている。
【００２１】
器具ジョイント２０は支柱ジョイント１０に固定された基部２１と基部２１の両端に一体的に形成されたアーム部２２とからなり、基部２１は円筒の側壁半部を切り欠いた立体形状をなし、アーム部２２は支柱ジョイント１０の中心軸線に対して所定の角度、例えば４５°の角度で斜め上方に傾斜されている。
【００２２】
器具ジョイント２０の基部２１には器具本体を取付けるための第１の取付け穴２１Ａが穿設され、アーム部２２には器具本体を取付けるための２つの第２の取付け穴２２Ａ、２２Ｂが第１の取付け穴２１Ａに対して一直線上に並ぶように形成され、第１、第２の取付け穴２１Ａ、２２Ａ、２２Ｂの穴内面には雌ねじが形成されている。
【００２３】
また、器具本体ハウジング５０内の後部には取付けブラケット３０が固定されている。この取付けブラケット３０は左右の取付け基部３１と左右の起立プレート３２を有し、取付け基部３１には取付けベースの第１の取付け穴２１Ａと合致され得る第１の取付け穴３１Ａが穿設され、起立プレート３２には第１の取付け穴３１を中心として同心円上の取付けベースの第２の取付け穴２２Ａ、２２Ｂと合致され得る位置に複数の第２の取付け穴３２Ａ、３２Ｂが２列に形成されている。
【００２４】
取付けベースの第１の取付け穴２１Ａと取付けブラケット３０の第１の取付け穴３１Ａには第１の締結ボルト４０が螺挿され、締付けられることによって取付けブラケット３０が取付けベースに締結されるようになっている。
【００２５】
また、取付けブラケット３０の複数の第２の取付け穴３２Ａ、３２Ｂから選択された取付け穴と取付けベースの第２の取付け穴２２Ａ又は２２Ｂには第２の締結ボルト４１が螺挿され、締付けられることによって、器具本体ハウジング５０の中間部分が選択された傾斜角度でもって取付けベースに締結されるようになっている。
【００２６】
さらに、器具本体ハウジング５０の上蓋後半部５１は開閉可能に設けられて取付けベース及び取付けブラケット３０を露出させて器具本体５０の傾斜角度を変更できるようになっている。また、取付けベースの支柱ジョイント１０には光源などへの配線を挿通できるチューブ１０Ａが設けられ、又支柱ポールを固定するためのねじの取付け部１０Ｂが設けられている。
【００２７】
本例の照明器具を垂直ポール式の支柱に装備する場合、器具本体ハウジング５０の上蓋５１を開き、取付けベースの器具ジョイント２０の基部２１と取付けブラケット３０の起立プレート３１を重ね合わせ、第１の取付け穴２１Ａ、３１Ａに第１の締結ボルト４０を差し込んで仮締結し、第２の取付け穴２２Ａ又は２２Ｂと３２Ａ又は３２Ｂに第２の締結ボルト４１を差し込んで仮締結する。
【００２８】
次に、取付けベースの支柱ジョイント１０を図２に示されるようにその筒穴を下方に指向させ、支柱ジョイント１０に垂直ポール６０を嵌入し、取付けベースの第１の締結ボルト４０を弛め、第２の締結ボルト４１を抜き、第１の締結ボルト４０を支点として取付けブラケット３０を適切な傾斜角度になるように傾動させ、そのとき合致した第２の取付け穴３２Ａ又は３２Ｂと２２Ａ又は２２Ｂに第２の締結ボルト４１を螺挿して締め付けるとともに、第１の締結ボルト４０も締め付け、器具本体を固定するとともに、垂直ポール６０を廻り止めすると、図３に示されるように、照明器具を垂直ポール式の支柱に装備することができる。
【００２９】
垂直ポールの上端部に斜め上方に傾斜された傾斜ポールを有する傾斜ポール式の支柱に本例の照明器具を装備する場合、取付けベースを支柱ジョイント１０を図４に示されるようにその筒穴を斜め下方に指向させ、支柱ジョイント１０に傾斜ポールを嵌入し、後は垂直ポール式支柱の場合と同様に作業を行えば、図５に示されるように、照明器具を傾斜ポール式の支柱に装備することができる。
【００３０】
以上のように、本例の照明器具は垂直ポール式及び垂直ポールの上端部に斜め上方に傾斜された傾斜ポールを有する傾斜ポール式のいずれの形式の支柱にも装着でき、しかも機種毎に要求される傾斜角度設定用の専用治具を用いることなく、器具本体の傾斜角度を多段階に変更でき、機種在庫を削減でき、低コストを実現できる。
【００３１】
また、本例の照明器具は汎用性があり、器具設置の際に行う事前調査を軽減でき、さらに器具装備時における器具本体の傾斜角度を容易に調整でき、上蓋５１を開くだけで設置後の角度調整も簡単に行うことができる。
【００３２】
さらに、取付けベース及び取付けブラケット３０によって器具本体を支柱に取付けているので、構造が簡単でコンパクトであり、傾斜角度を維持する強度も大きく、又既存の支柱に対しても器具本体を交換することができ、器具交換の対応が簡単である。
発明を実施するための形態
【符号の説明】
【００３３】
１０      支柱ジョイント
２０      器具ジョイント
２１      基部
２１Ａ      第１の取付け穴
２２      アーム部
２２Ａ、２２Ｂ    第２の取付け穴
３０      取付けブラケット
３１      基部
３２      起立プレート
３２Ａ、３２Ｂ      第２の取付け穴
５０      器具本体ハウジング
５０Ａ      上蓋
６０      ポール
【図１】
2018101483.tif 000003
【図２】
2018101483.tif 000004
【図３】
2018101483.tif 000005
【図４】
2018101483.tif 000006
【図５】
2018101483.tif 000007